(57)【要約】【課題】電力供給源の切替状況をユーザに判り易く報知することができる配電システムを提供する。【解決手段】商用電源ＡＣ、太陽電池３、二次電池５の各電力供給源と、各電力供給源から電力を供給されるとともに表示部Ｘを具備するコンセントＣと、電力供給源の電力供給量とコンセント側での電力需要量との少なくとも一方に基づいて、コンセントＣへ電力を供給する電力供給源を切り替える配電制御手段、およびコンセントＣへ電力を供給している電力供給源に応じて、コンセントＣの表示手段Ｘの表示を変化させる表示制御手段を構成する制御装置７とを備える。【選択図】図１
2011066967.tif 000002
【特許請求の範囲】
【請求項１】
商用電源、分散電源、商用電源または分散電源によって充電される二次電池の各電力供給源と、
各電力供給源から電力を供給されるとともに表示手段を具備するコンセントと、
電力供給源の電力供給量とコンセント側での電力需要量との少なくとも一方に基づいて、コンセントへ電力を供給する電力供給源を切り替える配電制御手段と、
コンセントへ電力を供給している電力供給源に応じて、コンセントの表示手段の表示を変化させる表示制御手段と
を備えることを特徴とする配電システム。
【請求項２】
前記配電制御手段は、商用電源を含む電力供給源を用いるモードと、商用電源以外の電力供給源を用いるモードとのうち、いずれかのモードの配電制御を行い、
前記表示制御手段は、配電制御手段のモードの各々に応じて、コンセントの表示手段の表示を変化させる
ことを特徴とする請求項１記載の配電システム。
【請求項３】
前記配電制御手段は、太陽電池のみを用いるモードと、太陽電池と二次電池を用いるモードと、商用電源を含む電力供給源を用いるモードとのうち、いずれかのモードの配電制御を行い、
前記表示制御手段は、配電制御手段のモードの各々に応じて、コンセントの表示手段の表示を変化させる
ことを特徴とする請求項２記載の配電システム。
【請求項４】
前記配電制御手段は、太陽電池のみを用いる第１のモードと、太陽電池と二次電池を用いる第２のモードと、太陽電池と二次電池と商用電源を用いる第３のモードと、二次電池と商用電源を用いる第４のモードと、商用電源のみを用いる第５のモードとのうち、いずれかのモードの配電制御を行い、
前記表示制御手段は、配電制御手段のモードの各々に応じて、コンセントの表示手段の表示を変化させる
ことを特徴とする請求項３記載の配電システム。
【請求項５】
前記商用電源は、時間帯毎に料金単価が異なり、
前記表示制御手段は、前記コンセントへ電力を供給している電力供給源が商用電源を含む場合に、現在時刻における商用電源の料金単価に対応して、前記コンセントの表示手段の表示を切り替えることを特徴とする請求項１乃至４いずれか記載の配電システム。
【請求項６】
前記表示制御手段は、前記コンセントへ電力を供給している電力供給源が切り替わるタイミングより前に、コンセントの表示手段の表示を変化させることを特徴とする請求項１乃至５いずれか記載の配電システム。
【発明の詳細な説明】
【技術分野】
【０００１】
本発明は、配電システムに関するものである。
【背景技術】
【０００２】
エアコン、冷蔵庫、洗濯機等の交流機器は商用電源（交流電源）で駆動し、パーソナルコンピュータ、液晶テレビ、電話、ファクシミリ等の直流機器は直流電源で動作しており、住宅、店舗において、交流電力を供給する交流配電システムと直流電力を供給する直流配電システムとの共存を図る技術が提案されている（例えば、特許文献１参照）。
【先行技術文献】
【特許文献】
【０００３】
【特許文献１】特開２００９−１７８０２５号公報
【発明の概要】
【発明が解決しようとする課題】
【０００４】
宅内の配電システムにおいて一般に、機器への電力供給源は、商用電源、太陽電池、余剰電力を充電された二次電池等が用いられている。そして、電力供給量、電力需要量に応じて、機器へ電力を供給する電力供給源を切り替えている。例えば、二次電池の充電電力や太陽電池の発電電力が十分にある場合は、二次電池の充電電力や太陽電池の発電電力を、直流機器に供給するだけでなく、直流電力を交流電力に変換するインバータを用いて交流機器にも供給する。また、二次電池の充電電力や太陽電池の発電電力が少ない場合は、商用電源の供給電力を併用して、交流機器に供給するだけでなく、交流電力を直流電力に変換するコンバータを用いて直流機器にも供給する。
【０００５】
しかしながら、このように機器への電力供給源は、電力供給源の電力供給量、機器側での電力需要量に応じて切り替えられるが、電力供給源の切替状況をユーザに判り易く報知する構成がなかった。
【０００６】
本発明は、上記事由に鑑みてなされたものであり、その目的は、電力供給源の切替状況をユーザに判り易く報知することができる配電システムを提供することにある。
【課題を解決するための手段】
【０００７】
請求項１の発明は、商用電源、分散電源、商用電源または分散電源によって充電される二次電池の各電力供給源と、各電力供給源から電力を供給されるとともに表示手段を具備するコンセントと、電力供給源の電力供給量とコンセント側での電力需要量との少なくとも一方に基づいて、コンセントへ電力を供給する電力供給源を切り替える配電制御手段と、コンセントへ電力を供給している電力供給源に応じて、コンセントの表示手段の表示を変化させる表示制御手段とを備えることを特徴とする。
【０００８】
この発明によれば、電力供給源の切替状況をユーザに判り易く報知することができる。さらに、省電力、電気料金の低減の意識を提起することが可能となる。
【０００９】
請求項２の発明は、請求項１において、前記配電制御手段は、商用電源を含む電力供給源を用いるモードと、商用電源以外の電力供給源を用いるモードとのうち、いずれかのモードの配電制御を行い、前記表示制御手段は、配電制御手段のモードの各々に応じて、コンセントの表示手段の表示を変化させることを特徴とする。
【００１０】
この発明によれば、商用電源を電力供給源として用いるか否かによってモードを切り替えることによって、配電制御を適切に行うことができ、さらに配電制御手段のモードに対応して、適切に表示制御できる。
【００１１】
請求項３の発明は、請求項２において、前記配電制御手段は、太陽電池のみを用いるモードと、太陽電池と二次電池を用いるモードと、商用電源を含む電力供給源を用いるモードとのうち、いずれかのモードの配電制御を行い、前記表示制御手段は、配電制御手段のモードの各々に応じて、コンセントの表示手段の表示を変化させることを特徴とする。
【００１２】
この発明によれば、太陽電池、二次電池、商用電源の使用状況に応じて表示制御しており、商用電源の電力消費を抑えるとともに、電気料金の低減を図ることができる。
【００１３】
請求項４の発明は、請求項３において、前記配電制御手段は、太陽電池のみを用いる第１のモードと、太陽電池と二次電池を用いる第２のモードと、太陽電池と二次電池と商用電源を用いる第３のモードと、二次電池と商用電源を用いる第４のモードと、商用電源のみを用いる第５のモードとのうち、いずれかのモードの配電制御を行い、前記表示制御手段は、配電制御手段のモードの各々に応じて、コンセントの表示手段の表示を変化させることを特徴とする。
【００１４】
この発明によれば、商用電源、太陽電池、二次電池の使用状況をさらに細分化し、太陽電池、二次電池、商用電源の使用状況に応じて表示制御しており、商用電源の電力消費を抑えるとともに、電気料金の低減を図ることができる。
【００１５】
請求項５の発明は、請求項１乃至４いずれかにおいて、前記商用電源は、時間帯毎に料金単価が異なり、前記表示制御手段は、前記コンセントへ電力を供給している電力供給源が商用電源を含む場合に、現在時刻における商用電源の料金単価に対応して、前記コンセントの表示手段の表示を切り替えることを特徴とする。
【００１６】
この発明によれば、表示内容を、時間帯における電気料金の高低に応じて変化させることで、ユーザに対して省電力、電気料金の低減の意識を提起することが可能となる。
【００１７】
請求項６の発明は、請求項１乃至５いずれかにおいて、前記表示制御手段は、前記コンセントへ電力を供給している電力供給源が切り替わるタイミングより前に、コンセントの表示手段の表示を変化させることを特徴とする。
【００１８】
この発明によれば、ユーザは電力供給源の切替を事前に知ることができ、電力供給源の切替をより早く把握することができる。而して、省電力化、電気料金の低減のための行動（機器の電源オン・オフ、調整等）をより早く実行することができる。
【発明の効果】
【００１９】
以上説明したように、本発明では、電力供給源の切替状況をユーザに判り易く報知することができるという効果がある。
【図面の簡単な説明】
【００２０】
【図１】本発明のシステム構成を示す図である。
【図２】（ａ）（ｂ）同上のコンセントの構成を示す図である。
【図３】（ａ）（ｂ）同上のコンセントの別の構成を示す図である。
【発明を実施するための形態】
【００２１】
以下、本発明の実施の形態を図面に基づいて説明する。
【００２２】
（実施形態１）
本実施形態の配電システムは、図１に示すように、主として住宅において用いるものであり、図示しない交流機器を接続する交流コンセントＣａを電力アウトレットとして設けた交流給電路Ｗａが接続される交流分電盤１と、図示しない直流機器を接続する直流コンセントＣｄを電力アウトレットとして設けた直流給電路Ｗｄが接続される直流分電盤２とを備える。また、本システムの電力供給源としては、交流電力供給源［商用電源ＡＣ］、直流電力供給源［太陽電池３、二次電池５］が用いられる。
【００２３】
交流給電路Ｗａが接続される交流分電盤１は、商用電源ＡＣ、および分散電源である太陽電池３からパワーコンディショナ４（第１の電力変換手段）を介して交流電力を供給されており、図示しない主幹ブレーカおよび複数の分岐ブレーカ、開閉器等を盤内に内蔵して、分岐ブレーカの負荷側にて複数系統に分岐した交流給電路Ｗａおよび交流接続路Ｗ１に交流電力を供給している。なお、パワーコンディショナ４は、太陽電池３が発電した直流電力を交流電力に変換し、さらに商用電源ＡＣと系統連系が可能となるように出力周波数および出力電圧を調節する機能を有している。
【００２４】
一方、直流給電路Ｗｄが接続される直流分電盤２は、交流分電盤１から交流接続路Ｗ１を介して交流電力を供給され、交流電力を所望の電圧の直流電力に変換するコンバータ２ａ（第２の電力変換手段）を備える。コンバータ２ａはＡＣ−ＤＣ変換装置であって、コンバータ２ａの出力が、盤内に内蔵した図示しない複数のサーキットプロテクタ、開閉器等を介して複数系統の直流給電路Ｗｄに供給される。
【００２５】
さらに直流分電盤２内には、コンバータ２ａの出力と二次電池５との間に接続されて、二次電池５の充放電を行う充放電器２ｂが内蔵されている。この充放電器２ｂによる充電制御は、コンバータ２ａが直流給電路Ｗｄに供給する直流電力から余剰電力分が二次電池５に充電される。そして、二次電池５の出力電圧は充放電器２ｂにより調節され、コンバータ２ａの出力とともに直流給電路Ｗｄに供給される。
【００２６】
上記のようにコンバータ２ａおよび二次電池５から出力される直流電力は、直流接続路Ｗ２を介してインバータ６（第１の電力変換手段）にも供給される。インバータ６は、商用電源ＡＣと系統連系が可能となるように出力周波数および出力電圧を調節する機能を有するＤＣ−ＡＣ変換装置であり、直流電力を交流電力に変換し、交流分電盤１内の分岐ブレーカを介して交流給電路Ｗａに交流電力を供給する。
【００２７】
上述の構成から明らかなように、交流分電盤１からは直流分電盤２に対して交流電力を供給することが可能であり、この交流電力をコンバータ２ａによって直流電力に変換して直流給電路Ｗｄに直流電力を供給することが可能になっている。逆に、直流分電盤２から交流分電盤１に対しては直流電力を供給することが可能であり、この直流電力をインバータ６によって交流電力に変換して交流給電路Ｗａに交流電力を供給することも可能である。
【００２８】
このような配電システムは、商用電源ＡＣが交流電力供給源、太陽電池３、二次電池５が直流電力供給源となっており、制御装置７が、各電力供給源の電力供給量に応じて、コンセントＣ（交流コンセントＣａ、直流コンセントＣｄ）への電力供給に用いる電力供給源を切り替える配電制御手段（各電力供給源からの出力比率を変動させる配電制御手段）を構成し、さらには電力供給に用いる電力供給源に応じて、コンセントＣに設けた表示部Ｘの表示を変化させる表示制御手段を構成している。以下、制御装置７による配電制御および表示制御について説明する。
【００２９】
制御装置７は、商用電源ＡＣからの供給電力、太陽電池３の発電量、二次電池５の充電率、交流分電盤１から交流給電路Ｗａへ供給される交流電力、直流分電盤２から直流給電路Ｗｄへ供給される直流電力を監視している。そして、この監視結果に基づいて、コンバータ２ａ、充放電器２ｂ、インバータ６や、交流分電盤１および直流分電盤２に収納された開閉器等の制御を行い、交流分電盤１と直流分電盤２との間での電力授受を制御することで配電制御を実行している。
【００３０】
まず、二次電池５は、太陽電池３の発電電力または商用電源ＡＣからの供給電力によって、コンバータ２ａ、充放電器２ｂを介して充電される。そして、制御装置７は、二次電池５の充電率が１００％（フル充電）、且つ太陽電池３の発電量が定格の１０％以上の場合に、第１の電力余剰モードとなる。また、二次電池５の充電率が８０％以上の場合、あるいは二次電池５の充電率が３０％以上且つ太陽電池３の発電量が定格の３０％以上の場合に、第２の電力余剰モードとなる。
【００３１】
第１の電力余剰モードでは、電力供給源として太陽電池３のみを用いており、直流給電路Ｗｄ上の直流コンセントＣｄは、パワーコンディショナ４、コンバータ２ａを介した太陽電池３の発電電力を供給され、さらに交流給電路Ｗａ上の交流コンセントＣａは、パワーコンディショナ４を介した太陽電池３の発電電力を供給される。この場合、太陽電池３が電力供給源となり、商用電源ＡＣからの電力供給量はゼロとなる。
【００３２】
第２の電力余剰モードでは、電力供給源として太陽電池３と二次電池５を用いており、直流給電路Ｗｄ上の直流コンセントＣｄは、二次電池５の充電電力、およびパワーコンディショナ４、コンバータ２ａを介した太陽電池３の発電電力を供給され、さらに交流給電路Ｗａ上の交流コンセントＣａは、パワーコンディショナ４を介した太陽電池３の発電電力、およびインバータ６を介した二次電池５の充電電力を供給される。この場合、太陽電池３、二次電池５が電力供給源となり、商用電源ＡＣからの電力供給量はゼロとなる。
【００３３】
また、制御装置７は、二次電池５の充電率が３０％以上且つ太陽電池３の発電量が定格の３０％未満の場合に、第１の商用電源併用モードとなる。また、二次電池５の充電率が３０％未満且つ太陽電池３の発電量が定格の３０％以上の場合に、第２の商用電源併用モードとなる。
【００３４】
第１の商用電源併用モードでは、電力供給源として太陽電池３と二次電池５と商用電源ＡＣを併用しており、直流給電路Ｗｄ上の直流コンセントＣｄは、二次電池５の充電電力、およびパワーコンディショナ４、コンバータ２ａを介した太陽電池３、およびコンバータ２ａを介した商用電源ＡＣの各電力を供給され、さらに交流給電路Ｗａ上の交流コンセントＣａは、商用電源ＡＣの電力、およびパワーコンディショナ４を介した太陽電池３の発電電力、およびインバータ６を介した二次電池５の充電電力を供給される。この場合、商用電源ＡＣ、太陽電池３、二次電池５が電力供給源となる。
【００３５】
第２の商用電源併用モードでは、電力供給源として二次電池５と商用電源ＡＣを併用しており、直流給電路Ｗｄ上の直流コンセントＣｄは、パワーコンディショナ４、コンバータ２ａを介した太陽電池３、およびコンバータ２ａを介した商用電源ＡＣの各電力を供給され、さらに交流給電路Ｗａ上の交流コンセントＣａは、商用電源ＡＣの電力、およびパワーコンディショナ４を介した太陽電池３の発電電力を供給される。この場合、商用電源ＡＣ、太陽電池３が電力供給源となる。
【００３６】
また、太陽電池３の発電電力および二次電池５の充電率が上記第１，第２の電力余剰モードおよび上記第１，第２の商用電源併用モード以外の場合、制御装置７は、商用電源ＡＣからの供給電力を単独で使用して直流コンセントＣｄおよび交流コンセントＣａへ電力を供給する商用電源消費モードとなる。この商用電源消費モードは、料金単価が最も安い２２時〜７時の時間帯における第１の商用電源消費モード、料金単価が２番目に安い７時〜１０時の時間帯における第２の商用電源消費モード、料金単価が最も高い１０時〜２２時の時間帯における第３の商用電源消費モードの３モードにさらに細分化され、現在時刻に応じたモードが選択される。この場合、商用電源ＡＣのみが電力供給源となる。
【００３７】
このように、制御装置７は、各電力供給源の電力供給量に応じて、上記７つの配電制御モード［第１の電力余剰モード、第２の電力余剰モード、第１の商用電源併用モード、第２の商用電源併用モード、第１の商用電源消費モード、第２の商用電源消費モード、第３の商用電源消費モード］からいずれか１つを選択している。また、配電制御モードは上記７つに限定されることはなく、例えば天気、天気予報に基づく太陽電池３の発電量予測を条件に含むモードを付加してもよい。
【００３８】
なお、本実施形態では、電力供給源の配電制御として、直流電力供給源（太陽電池３、二次電池５）のみである電力余剰モードと、商用電源ＡＣと直流電力供給源の両方である商用電源併用モードと、商用電源ＡＣのみである商用電源消費モードとの３モードに切替可能であってもよく、当該３モードの各モードをさらに細分化したものが、上記７つのモードである。
【００３９】
または、電力供給源の配電制御として、第１の電力余剰モード、第２の電力余剰モード、第１の商用電源併用モード、第２の商用電源併用モード、商用電源消費モードの５モードに切替可能であってもよく、商用電源消費モードを料金単価に基づいてさらに細分化したものが、上記７つのモードである。
【００４０】
また、電力供給源の配電制御として、太陽電池３のみを用いるモードと、太陽電池３と二次電池５を用いるモードと、商用電源ＡＣを含む電力供給源を用いるモードの３モードや、商用電源ＡＣを含む電力供給源を用いるモードと、商用電源ＡＣ以外の電力供給源を用いるモードの２モードに切替可能でもよい。
【００４１】
そして、交流給電路Ｗａには交流コンセントＣａが電力アウトレットとして設けられ、直流給電路Ｗｄには直流コンセントＣｄが電力アウトレットとして設けられており、交流コンセントＣａ、直流コンセントＣｄは、各部屋の壁面等に設置されている。
【００４２】
交流コンセントＣａは図２（ａ）に示すように、交流コンセントＣａの器体１１の前面に、図示しない交流機器に電気的に接続した交流プラグの一対の板状の栓刃が挿入される矩形の挿入口１２，１２が穿設され、さらに器体１１の上部にはＬＥＤを発光源とする表示部Ｘを設けており、表示部Ｘの発光面は、壁面等にコンセントを設置した際に部屋内に露出するように配置されている。
【００４３】
直流コンセントＣｄは図２（ｂ）に示すように、直流コンセントＣｄの器体２１の前面に、図示しない直流機器に電気的に接続した直流プラグの一対の円柱状の丸栓刃が挿入される円形状の挿入口２２，２２が穿設され、さらに器体２１の上部にはＬＥＤを発光源とする表示部Ｘを設けており、表示部Ｘの発光面は、壁面等にコンセントを設置した際に部屋内に露出するように配置されている。
【００４４】
なお、図２（ａ）（ｂ）では、表示部Ｘを器体１１，２１の上部に設けているが、図３（ａ）（ｂ）に示すように器体１１，２１の略全面に亘って設けてもよい。
【００４５】
そして、制御装置７は、上記のように選択した配電制御モードに応じて、直流コンセントＣｄおよび交流コンセントＣａが具備する表示部Ｘの表示を制御する。表示部Ｘは、互いに発光色が異なる７つのＬＥＤ（または７色に切替可能な１つのＬＥＤ）を発光源として具備しており、制御部７は、上記７つの配電制御モード毎に表示部Ｘの発光色を切り替える表示制御を行い、本システムが現在の電力供給に用いている電力供給源を報知する。
【００４６】
すなわち、各電力供給源の電力供給量に応じて電力供給源を切り替える配電制御を行い、さらに電力供給に用いる電力供給源に応じて表示部Ｘの表示を変化させる表示制御を行っており、ユーザは、宅内の至る所に設置されたコンセントＣ（交流コンセントＣａ、直流コンセントＣｄ）の表示部Ｘを見ることで、現在の電力供給源に何を用いているかを把握できる。すなわち、ユーザに対して電力供給源の切替状況を判り易く報知するとともに、省電力、電気料金の低減の意識を提起することが可能となる。
【００４７】
配電制御の各モードに対応する表示制御パターンは、例えば、
第１の電力余剰モード    ：ピンク
第２の電力余剰モード    ：赤
第１の商用電源併用モード：橙
第２の商用電源併用モード：黄
第１の商用電源消費モード：緑
第２の商用電源消費モード：青
第３の商用電源消費モード：紫
のように、異なる色に切り替える。
【００４８】
または、
第１の電力余剰モード    ：濃い赤
第２の電力余剰モード    ：薄い赤
第１の商用電源併用モード：さらに薄い赤
第２の商用電源併用モード：赤とピンクとの中間色
第１の商用電源消費モード：さらに濃いピンク
第２の商用電源消費モード：濃いピンク
第３の商用電源消費モード：薄いピンク
のように、濃い赤から薄いピンクへ連続的に色や濃さを変化させる。
【００４９】
また、制御部７は、モード切り替え（電力供給源の切り替え）の前に、交流コンセントＣａおよび直流コンセントＣｄの各表示部Ｘの表示を点滅させてもよい。例えば、第２の電力余剰モード：赤から第１の商用電源併用モード：橙に切り替わる前（例えば、１０分前）に、赤と橙を交互に点滅点灯させて、モード切替を事前に報知する。このとき、モード切り替え前は、赤の点灯時間を長くして橙の点灯時間を短くした状態から、赤の点灯時間を短くして橙の点灯時間を長くした状態に徐々に変化し、モード切り替えと同時に橙の連続点灯に移行してもよい。したがって、モードを切り替える前に表示部Ｘが、切替前の色と切替後の色とで交互に点滅するので、ユーザはモードの切替を事前に知ることができ、電力供給源の切替をより早く把握することができる。而して、省電力化、電気料金の低減のための行動（機器の電源オン・オフ、調整等）をより早く実行することができる。
【００５０】
また、コンセントＣに設ける表示部Ｘは、液晶モニタによる情報提示、スピーカを具備した音声出力装置による音声報知等であってもよく、表示部Ｘの形態には限定されない。
【００５１】
（実施形態２）
上記実施形態１では、制御装置７が、各電力供給源の電力供給量に応じて電力供給源を切り替える配電制御手段を構成しているが、コンセント側での電力需要量に応じて電力供給源を切り替える配電制御手段であってもよい。
【００５２】
この場合、制御装置７は、交流分電盤１から交流給電路Ｗａへ供給される交流電力、直流分電盤２から直流給電路Ｗｄへ供給される直流電力を監視したり、または交流コンセントＣａおよび直流コンセントＣｄから消費電力の情報を取得することによって、必要な電力需要量を導出する。そして、電力需要量が低いときは太陽電池３や二次電池５を電力供給源として用い、電力需要量が増大するにつれて商用電源ＡＣを併用し、さらに電力需要量が増大すると電力供給源として商用電源ＡＣを単独で用いる。なお、本実施形態では、昼夜における太陽光の変化による太陽電池３および二次電池５の電力容量の変化（供給可能な電力容量の最大値および最小値）が予め判っており、この予め判っている太陽電池３および二次電池５の電力容量の変化を考慮した上で、コンセント側での電力需要量に応じて電力供給源を切り替える。
【００５３】
また、制御装置７は、各電力供給源の電力供給量およびコンセント側での電力需要量の両方に応じて電力供給源を切り替える配電制御手段であってもよい。この場合、制御装置７は、太陽電池３の発電電力および二次電池５の充電電力を逐次監視し、さらに電力需要量も逐次監視して、電力の需要と供給のバランスを、「電力供給量≧電力需要量」の関係に維持しながら、電力供給源として太陽電池３および二次電池５をできるだけ用い、商用電源ＡＣをできるだけ用いないように、配電制御を行う。
【００５４】
なお、上記各実施形態では、交流給電路Ｗａと直流給電路Ｗｄとの両方を備えた配電システムを例示しているが、交流給電路Ｗａと直流給電路Ｗｄのいずれか一方を備えた配電システムでも、上記同様に電力供給源の切替状況に対応した表示制御を行うことができる。
【符号の説明】
【００５５】
１  交流分電盤
２  直流分電盤
２ａ  コンバータ
３  太陽電池
４  パワーコンディショナ
５  二次電池
６  インバータ
７  制御装置
Ｗａ  交流給電路
Ｗｄ  直流給電路
Ｃａ  交流コンセント
Ｃｄ  直流コンセント
ＡＣ  商用電源
【図１】
2011066967.tif 000003
【図２】
2011066967.tif 000004
【図３】
2011066967.tif 000005